(57)【要約】【課題】  現金を取扱うＡＴＭに設けられた金庫扉、化粧扉の二重扉構造で、金庫扉の施錠忘れを簡易な構成で係員が確認できるＡＴＭを提供すること。【解決手段】  金庫扉１４、ハンドル５が閉状態でダイヤル錠６が施錠しない状態では、規制機構１５が化粧扉１と当接して化粧扉１の閉じを規制する。その一方で金庫扉１４が閉じ状態、ハンドル５が開き状態のときはハンドル５と化粧扉１に設置されたブロック７とが当接して化粧扉１の閉じを規制する。【選択図】図１
2005267130.tif 000002
【特許請求の範囲】
【請求項１】
現金を取引する現金自動取引装置において、
紙幣を収納する収納部を金庫構造に構成し、該金庫構造に設置され且つ前記収納部の開閉をする第２扉と、
前記第２扉の外側に位置し、前記収納部を含めた前記装置内部の開閉をする第１扉とを有し、
前記第２扉は、該第２扉自身を前記装置に施錠又は開錠する第１施錠又は開錠機構を具備すると共に該第１施錠又は開錠機構は開錠状態のとき前記第１扉の閉じ操作を規制する第１規制機構を有することを特徴とする現金自動取引装置。
【請求項２】
前記第１施錠又は開錠機構は、係員等が操作し所定の範囲で時計又は反時計方向に回るハンドルと、該ハンドルと連動し前記第２扉の裏側に設置され且つ前記装置との施錠を行う閂とを含むことを特徴する請求項１記載の現金自動取引装置。
【請求項３】
前記ハンドルが開位置にあるとき前記第１規制機構と当接するブロックを前記第１扉の裏面に配置することを特徴とする請求項２記載の現金自動取引装置。
【請求項４】
前記第２扉は、前記第１施錠又は開錠機構の施錠又は開錠を行う第２施錠又は開錠機構を有することを特徴とする請求項１記載の現金自動取引装置。
【請求項５】
前記第１施錠又は開錠機構は、前記第２扉の裏側に配置し且つ該第２扉を前記装置に施錠する閂を含み、
前記第２施錠又は開錠機構は、時計又は反時計の所定範囲で回転するダイヤル錠と、前記閂及び前記ダイヤル錠と連動する制御機構とを含むことを特徴とする請求項４記載の現金自動取引装置。
【請求項６】
前記第２施錠又は開錠機構は、前記ダイヤル錠と連結し該ダイヤル錠の前記第２扉の裏側に配置したダイヤルロックと、回転によって上下に可動する該ダイヤルロックに設けられた突出部とを有し、
前記制御機構は、前記閂に前記突出部と施錠する切り欠き部を有し、前記突出部と連動する前記閂に固定された軸を中心に回転するリンク機構を有し、
前記ダイヤルロックの前記突出部が前記リンク機構を押し上げ、前記閂の前記切り欠き部に入り込むことによって前記第２施錠又は開錠機構による前記第１施錠又は開錠機構の施錠を実行することを特徴とする請求項５記載の現金自動取引装置。
【請求項７】
前記リンク機構は、前記閂及び前記ダイヤル錠との連動に応じて３つの位置状態を保つことを特徴とする請求項６記載の現金自動取引装置。
【請求項８】
前記第２扉は、前記第１規制機構とは異なる位置に、前記第１扉の閉じ操作を規制する第２規制機構を配置することを特徴とする請求項１記載の現金自動取引装置。
【請求項９】
前記第２規制機構は、前記装置の外側又は内部方向の前後可動し、前記第１扉又は前記第１扉に設けられた押し部に当接することを特徴とする請求項８記載の現金自動取引装置。
【請求項１０】
前記第１施錠又は開錠機構は、前記第２扉の裏側に配置し且つ該第２扉を前記装置に施錠する閂を含み、
前記第２扉は、時計又は反時計の所定範囲で回転するダイヤル錠と、前記閂及び前記ダイヤル錠と連動するリンク機構とを有し、
前記第２規制機構は、前記リンク機構の可動によって前記第１扉への閉じ規制又は規制解除を行うことを特徴とする請求項８記載の現金自動取引装置。
【請求項１１】
前記リンク機構は、前記第２規制機構によって前記第１扉への閉じを規制するとき前記第２規制機構の後に可動することを特徴とする請求項１０記載の現金自動取引装置。
【請求項１２】
前記第２扉は金庫扉であって、前記第１扉は前記金庫扉より大きい化粧扉であることを特徴とする請求項１乃至１１の何れかの項記載の現金自動取引装置。
【発明の詳細な説明】
【技術分野】
【０００１】
現金を取り扱う現金自動取引装置（現金取扱装置、ＡＴＭとも言う）を金庫構造にして紙幣を収納する紙幣収納部を備えた装置に係り、特に、その金庫におけるダイヤル錠の施錠忘れ等を防止する防止構造、または扉を二重にすることによる閉め忘れ防止構造、扉二重構造に関するものである。
【背景技術】
【０００２】
金庫等の施錠忘れを防止する技術として、キーのロックをセンサで検知する、またはモータを動力としてダイヤル錠などを自動回転させ、施錠する技術などがある。関連する公知例に特許文献１がある。また、扉にダイヤル錠が設けられた装置では、ダイヤル錠の決められた目盛でしかキーが抜けないタイプを使用し、キーが付いていることで施錠されていないことを確認する技術もある。
【０００３】
【特許文献１】特開平０９−０７８９１１号公報
【発明の開示】
【発明が解決しようとする課題】
【０００４】
上述の技術では、センサ、モータ等を使用するためその動力（電気的に）が必要であり、突発的な停電対策として蓄電池の実装、寿命による交換が必要となる。もちろん、センサ、モータ、蓄電池などの実装により装置も高価なものになってしまう。また、ダイヤル錠とキーとでその施錠忘れを確認する技術もあるが、キーの存在が必要であり、またキー自体が小さく、目視確認における見落としもあった。またキーが付いたままのダイヤル錠の操作が必要で操作性も悪かった。
【０００５】
本発明は、上述した全部又は一部を解決し、電気部品による制御を行わず、簡易なメカ機構により金庫扉が施錠されているか容易に確認できて確実にダイヤル錠など鍵の施錠忘れを防止し、操作性、信頼性を向上させる現金自動取引装置を提供することを目的とする。
【課題を解決するための手段】
【０００６】
上記目的を達成するため、本発明は、例えば、金庫扉、ハンドルが閉状態でダイヤル錠を施錠しない状態では、閂に設置した制御板（例えばリンク機構）に当たり或る所定以上の押し込みができない規制機構を設けた現金自動取引装置である。また、ハンドルが開状態にあるときは金庫扉の外側に設置された化粧扉がハンドルに当たり、それ以上化粧扉を閉めることが出来ない装置である。
【発明の効果】
【０００７】
本発明によれば、金庫扉が施錠されているか容易に確認できる。また確実に扉の施錠忘れを防止できる。また金庫扉に備わるダイヤル錠のキーを廃止することで操作性を向上できる。また、モータ及びセンサ等の電気部品を使わず、停電対応による蓄電池、寿命による交換が不要である為、信頼性を向上できる。
【発明を実施するための最良の形態】
【０００８】
以下、本発明の実施形態の一例について説明する。
【実施例１】
【０００９】
本発明のＡＴＭにおける扉構造の第１実施例について図１〜９の図面を用いて詳細に説明する。
【００１０】
図１はＡＴＭ（現金自動取引装置）の概観斜視図で、ＡＴＭの後面又は後側（係員又は保守員がＡＴＭを操作する面）から見た図を示す。化粧扉１（第１扉）は装置の最も外側にあり、装置内部の各ユニットを操作するときにこの化粧扉１を開ける。化粧扉１を開いた状態にすると、上部と下部とに２段構成となっており、銀行カードなどを取り扱うカードユニットや通帳を扱う通帳ユニットは図示する上部に配置され、紙幣を鑑別する鑑別部、紙幣を搬送する搬送路、紙幣を収納する収納部等を具備する紙幣取扱装置は下部に配置され、更に防犯上金庫９の筐体で強固な構造である。金庫９は装置に勘合された金庫扉ヒンジ１４ａを介して金庫扉１４によりその後側が覆われ、このヒンジ（第２ヒンジ）を軸に金庫扉１４（第２扉）は矢印Ｈ方向に開閉可能な構造となっている。上述した化粧扉１もヒンジ８を介して装置筐体に取り付けられ、金庫９を含んで装置全体内部を覆い、このヒンジ８（第１ヒンジ）を軸に矢印Ｈ方向に開閉な構造を採用する。
【００１１】
図１では化粧扉１を開き、金庫扉１４を閉めた状態を示すが、各扉にはそれぞれ表面と裏面との２面がある。図では化粧扉１の裏面と、金庫扉１４の表面とが図示され、この金庫扉１４の表面には、係員等が操作し扉を施錠又は解錠する際に回転するハンドル５と、ダイヤル（目盛り）が取り付けられ時計又は反時計回しで特定の回転をすることで扉の施錠又は解錠をするダイヤル錠６とが取り付けられている。一方、金庫扉１４の表面と相対する化粧扉１の裏面にはロックキー２が設けられ、ロックキー２を回転させると、ロックキー２に連結したシャフト３が上下に動く。もちろん、ロックキー２の裏側、つまり化粧扉１の表面にはハンドル５のような係員が操作する同様なハンドルが取り付けられている。図示するようにロックキー２には上下２本のシャフト３が取り付けられ、図示正面から見て反時計回りにロックキー２が回転すると上のシャフト３は下へ、下のシャフト３は上へ動く（解錠状態）。この状態から化粧扉１を閉め、ロックキーを逆方向に回転すると、上下２本のシャフトは金庫扉１４の表面に取り付けられたシャフト受け４の穴４ａと、筐体内部に取り付けられたシャフト受け４の穴４ａ（図の上面参照）とにそれぞれ挿入され、また引っ掛かることで、化粧扉１をロック（施錠）する。
【００１２】
また化粧扉１の裏面には直方体の突出部としてブロック７が設けられ、後述するが金庫扉１４のハンドル５が開状態のときそのハンドル５と当接し、それ以上化粧扉１は閉じないような閉じ規制機能としての作用がある。また、金庫扉１４にも化粧扉１の閉じを防止、規制する後述の規制機構１５が備わる。
【００１３】
次に、この図１のＡＴＭ装置における扉キーの閉め忘れを防止する技術について、係員が金庫扉１４を閉め（図２〜４状態）、金庫扉１４のハンドル５を閉め（図５〜６状態）、最後にダイヤル錠６で金庫扉１４を施錠して化粧扉１を閉める（図７〜８状態）、との操作内容に合わせて説明する。以下、図２〜４は、金庫扉１４が閉位置、ハンドル５が開位置で、ダイヤル錠６にて施錠されていない（解錠又は開錠とも言う。以下同じ。）状態を示し、図２は図１のＡ部詳細図、図３は図２のＢ−Ｂ断面図、図４は図２のＥ−Ｅ断面図である。図５〜６は、金庫扉１４及びハンドル５が閉位置でダイヤル錠６にて施錠されていない状態を示し、図５は図１のＡ部詳細図、図６は図５のＣ−Ｃ断面図である。図７〜８は、金庫扉１４及びハンドル５が閉位置でダイヤル錠６にて施錠した状態を示し、図７は図１のＡ部詳細図、図８は図７のＤ−Ｄ断面図である。そして図９は規制機構１５の取付けの詳細図を示す。
【００１４】
最初に閂１０について説明する。閂１０は図４に示すように金庫扉１４の裏側に配置され、図１の点線枠のように１枚の板状（鉄板）で装置筐体と勘合する側で凹凸形状を成している。そしてその凸部部分が勘合する位置で筐体側の凹部に挿入され、その際、この施錠によって金庫扉１４を開くのを防止できる。図２〜４はその施錠がない状態を示し、特に図４に図示するように、ハンドル５と閂１０とが特定の構造を介して連結する。つまり、図２のハンドル５をＫ方向（時計回り）に回すと、それと連動して閂１０はＪ方向に可動して施錠する。ハンドル５と閂１０とを連結する構造は種々考えられるが、ハンドル５に連結部１８ａを介して閂可動棒１８を取り付け、この閂可動棒１８に設けられたピン２０を、閂１０に設けられた垂直方向で長穴形状の閂可動溝１９に挿入する、との図４に示す連結構造（連結手段）が望ましい。図２，３の状態は、ハンドル５を開方向に回した状態を示し、ハンドル５と連結する閂１０は筐体側に設けられ金庫扉１４の開閉を規制する開閉規制部２１とＲ隙間を確保する（図２参照）。そのため、この解錠又は開錠状態で係員はハンドル５を持って図１の手前方向に金庫扉１４を開くことができる。つまり第２扉の開閉状態となる。
【００１５】
金庫扉１４は複数の水平方向の長穴形状の閂ガイド２２がある。そしてこの閂ガイドと同数の突形状のガイドピン２３が閂１０に設けられ、このガイドピン２３が閂ガイド２２に挿入される。上述したように金庫扉１４の後（装置前面方向）に閂１０が配置され、その閂１０は１枚の板状、鉄板で構成されているため、自重が非常に重い。図４に示す連結部１８ａでも閂１０を支えることはできるが、上述した複数のガイドピン２３と閂ガイド２２とによって閂１０の重さを支える方が強い構造となる。また閂１０は装置に対して水平方向に可動するため、金庫扉２２に開けられた閂ガイド２２も水平方向で長穴形状が良く、この長穴形状の範囲で閂１０が動く。
【００１６】
また後述するが、金庫扉１４の表面に設置されたダイヤル錠６に対しては扉裏側に連結部６ａを介してダイヤルロック１３が連結され（図４参照）、リンク機構（制御板とも言う）１２の可動をさせる。
【００１７】
金庫扉１４には他に規制機構１５が設けられている。図１の金庫扉１４を正面から見て左上に配置された部材である。この規制機構１５はダイヤル錠６が施錠されていないとき、いわゆる解錠状態のとき、化粧扉１の閉じ操作を規制するものである。図９は規制機構１５の詳細を示す。金庫扉１４には穴２５を設ける。そしてフランジ２６を設けた規制機構１５をガイド１７の穴１７ａ、バネ１５ａに挿入する。また規制機構１５の溝１５ｂに止め輪１６を固定し、更に金庫扉１４の穴２５に挿入後、ガイド１７を金庫扉１４の内側（裏面）にネジ等で取付ける。これにより図１〜３に示すように規制機構１５がバネ力で金庫扉１４より外面（表側）に常に突出する構成となる。規制機構１５は化粧扉１を閉めると当たる位置に配置する。また規制機構１５は外部より押されると金庫内側方向に押し込む構成となるが、金庫扉１４、止め輪１６、ガイド１７及び規制機構１５の押し込み方向の位置関係は図３に示す様にＸ＜Ｙにすることで、止め輪１６をガイド１７まで押し込まれても落下することは無い。図９に示す金庫扉１４以外の規制機構１５、止め輪１６等の各部位を纏めて単に規制機構（手段、構造）、第２規制機構とも言う。なお、後述する図８の状態が化粧扉１によって規制機構１５が装置内部に押し込まれている状態を示す。
【００１８】
一方、化粧扉（第１扉）１の裏面には直方体のブロック７が設置されている（図１参照）。上述したように図２はハンドル５が金庫扉１４を開ける位置にあり、そのまま化粧扉１を閉めてしまうことを防止するため、化粧扉１のブロック７の突出部が開き位置にあるハンドル５と当接する位置にブロック７を配置している。図２におけるハンドル５と一点鎖線のブロック７、図３におけるハンドル５とブロック７の突出部が当接している状態として図示している。図３に図示されているように、化粧扉１はそれ以上閉めることができないので、係員はハンドル５が開き位置にあり、またハンドル５と連動する閂１０が施錠されていないことを把握し、よって金庫扉１４の開錠状態での化粧扉１の閉めを防止できる。このように、ハンドル５と閂１０によって金庫扉１４の施錠又は開錠を行うことから第１施錠又は開錠機構（各機構について手段、構造とも言う）と捉えることができ、一方でハンドル５とブロック７とは第１施錠又は開錠機構が開錠状態にあるときに化粧扉１の閉めを防止することから第１規制機構と捉えることができる。
【００１９】
次に、図５，６はハンドル５を閉め位置、つまり閂１０によって金庫扉１４を施錠している状態を示している。図２と逆にハンドル５を反時計回りのＶ方向に回転するとそれに連動して閂１０はＵ方向に可動して開錠状態になる。図５，６では閂１０による施錠がされているものの、ダイヤル錠６による施錠はされていない。このとき、図５に示すようにハンドル５と一点鎖線のブロック７とが当接しない、つまり第１規制機構の機能が働かない。そこで図９にて詳述した規制機構１５（第２規制機構）によって化粧扉１の閉めを防止する技術について説明する。
【００２０】
閂１０の後側（装置内部側）には、この閂１０に固定された軸１２ａに取り付けられる棒状のリンク機構１２を設置している。よって閂１０の可動（図２のＪ方向、図５のＵ方向）と共にリンク機構１２も可動する。またリンク機構１２の一端にバネ１１を設置して矢印Ｎ方向（図２，５，７参照）に常に引っ張ることで、リンク機構１２は軸１２ａを中心に回転可能な構成を採る。また軸１２ａよりバネ１１側にストッパ２４を設けることで、リンク機構１２がストッパ２４に当接し、バネ１１によってその一端が引っ張りすぎることを防止する。
【００２１】
リンク機構１２の配置位置について説明する。図５に示すように閂１１による施錠状態のとき、リンク機構１２が規制機構１５と重複する位置に配置する。これにより図６のように規制機構１５のフランジ２６がリンク機構１２のバネ１１側でない他端と当接し、化粧扉１を閉めるのを防止できる。言い換えると、ハンドル５を図５の施錠位置にすると、開閉規制部２１と閂１０との配置関係でＭ寸法重なることから金庫扉１４は開かないが、それと共に図６に示すように規制機構１５とリンク機構１２とはＭ’寸法の重なりができる。
【００２２】
このように、図５のハンドル５の閉位置では上述した図３のハンドル５とブロック７のように当接しないが、化粧扉１は金庫扉１４より突出した規制機構１５に当接する。従って、係員が金庫扉１４を閉めてハンドル５を閉位置にして、ダイヤル錠６による施錠をし忘れても、化粧扉１を閉めようとすると規制機構１５に化粧扉１が当たる。更に、規制機構１５がリンク機構１２に当たる為、金庫扉１４と化粧扉１との隙間が化粧扉１を閉めることが出来るＦ寸法（後述の図８）以下にはならない。係員はこの機能によって化粧扉１を閉めることが出来ず、金庫扉１４が施錠されていないことが分かる。つまり、第１施錠又は開錠機構が施錠状態のとき（但し、ダイヤル錠は開錠）、第１規制機構によって化粧扉１の閉めを防止することはできないが、第２規制機構によってその閉めを防止できる。
【００２３】
次に、図７，８は金庫扉１４を閉め、ハンドル５を閉位置にして閂１０で施錠し（第１施錠）、ダイヤル錠６にて金庫扉１４を施錠した（第２施錠）、状態を示す。特に図８はこの施錠状態された金庫扉１４を装置後面より覆うように化粧扉１を閉めた状態を示す。本図に示すように化粧扉１と金庫扉１４との位置関係（隙間）はＦ寸法以下となり、化粧扉１の上下対のシャフト３をそれぞれのシャフト受け４に備わる穴４ａに挿入でき（図１参照）、図示しない鍵等で化粧扉１の施錠する。本技術について説明する。
【００２４】
上述したように、閂１０が開閉規制部２１とＭ寸法重なり（図５参照）、第１施錠状態にあるときハンドル５は図５，７の閉位置の状態であり、よってハンドル５と化粧扉１の裏面に設置されたブロック７とは当接しない状態である。言い換えると、図２のような第１規制機構によって化粧扉１の閉じ状態を規制することはない。
【００２５】
一方、閂１０の固定された軸１２ａに連結するリンク機構１２は、閂１０と共に連動して規制機構１５の裏側と重複する位置にある（図５又は図６のＭ’寸法参照）。この第１施錠状態でダイヤル錠６を時計又は反時計で任意に回すと、ダイヤル錠６と連結し金庫扉１４の裏側に設けられたダイヤルロック１３が装置上方向に移動する（図４参照）。リンク機構１２は、軸１２ａとバネ１１が取り付けられた位置との間に凹部形状の切り欠き部（施錠溝）１０ａが設けられ、ダイヤルロック１３の上部は、凸形状の突起部１３ａが設けられている（図２，５，７参照）。そのため、図７に示すように、ダイヤルロック１３の突起１３ａがＴ寸法位置まで飛び出すと、切り欠き部１０ａに入り込み又は勘合、施錠され、リンク機構１２のバネ側の一端を押し上げ、軸１２ａを中心に他端側がＰ方向に回転する。このようなリンク機構１２の動作によって、図５，６で説明した規制機構１５の後方にリンク機構１２が重ならない位置、つまり図８に示すように規制機構１５はフリーとなり、それを押し込める状態となる。これが第２規制機構による化粧扉１の閉じを解除、または第１扉の閉じ方向への規制を解除するものである。更に、ダイヤルロック１３の突起部１３ａがリンク機構１２の施錠溝１０ａに施錠される構成も採ることで、閂１０は矢印Ｕ方向に移動できない（勿論、ハンドル５も動かない）、というダイヤル錠６による第２施錠を保つことができる。
【００２６】
ダイヤルロック１３とリンク機構１２との関係について更に説明する。リンク機構１２はダイヤルロック１３の突起部１３ａの上部に配置されている。そしてハンドル５のみによる第１施錠又は開錠をするとき、図２，５のようにダイヤルロック１３の突起部１３ａはＳ寸法で、その突起部１３ａとリンク機構１２と隙間にＱ隙間寸法を設けることで、閂１０がＪ、Ｕ方向に稼働するのに支障をきたすことは無い。なお、図２の閂１０が開錠された状態でダイヤル錠６を間違って回してもダイヤルロック１３の突起部１３ａはリンク機構１２を閂１０に固定する軸１２ａに当接するため、第１施錠機構が開錠されている状態での第２施錠機構による施錠を防止する。
【００２７】
以上、ＡＴＭの紙幣機構などセキュリティ上でも極めて高い部位に対して、開閉可能な金庫扉１４（第２扉）と化粧扉１（第１扉）との二重構造で、更に第２扉の施錠忘れを第１扉の閉じ状態で係員等が容易に分かる構成、構造、手段、機能等について詳述した。この点を要約すると、第２扉を閉め、ハンドル５、閂１０等による第１施錠又は開錠機構が開錠状態にあるとき、ハンドル５と第１扉に設けられたブロック７との第１規制機構によって第１扉の閉じを規制する（図２，３参照）。また第１施錠又は開錠機構が施錠状態で、ダイヤル錠６等による第２施錠又は開錠機構が開錠状態にあるときは、規制機構１５など又はその規制機構１５の可動を制御するリンク機構１２等の制御板、制御機構等の第２規制機構によって第１扉の閉じを規制する（図５，６参照）。そして第１施錠又は開錠機構と第２施錠又は開錠機構とのどちらも施錠状態のときは、第１，２規制機構による第１扉の閉じ規制は開放され、よって第１扉を閉じることができる（図７，８参照）。
【実施例２】
【００２８】
次に本発明の第２実施例を図１０、１１、１２に図面に従い説明する。なお、第１実施例に対して基本的な構造はほぼ同じで、各構成の配置位置が異なることから簡潔に説明する。図１０は図１のＡ部の他の詳細図を示し、金庫扉１４が閉位置、ハンドル５が開位置でダイヤル錠６にて施錠されていない状態を示し、図１１は図１０のＢ―Ｂ断面図を示す。また図１２は、金庫扉１４及びハンドル５が閉位置でダイヤル錠６にて施錠した状態を示す。
【００２９】
第１実施例ではダイヤル錠６と連動するダイヤルロック１３の突起１３ａが上方向にＴ寸法突出し、リンク機構１２の切り欠き部１０ａに入り込む一形態を説明した。実施例２は実施例１と配置方向が対称で、図１０，１２に示すように、ダイヤルロック１３の突出部１３ａはそのロック自身の装置下方向の取り付けている。ダイヤル錠６を時計又は反時計に回すと、それと連動するダイヤルロック１３の突出部１３ａが下方向に突出する。そしてダイヤルロック１３の下方に設置されたリンク機構１２の切り欠き１２ａに施錠する。リンク機構１２は軸１２ａを中心に回転し、後述の規制機構と重ならない状態となり、化粧扉１を閉じることができる（図１２参照）。
【００３０】
図１１はハンドル５が開錠位置にあり、未だ閂１０によって施錠されていない状態を示す。本図のとおり、第１実施例と同様、ハンドル５と化粧扉１の裏面にあるブロック７とにより化粧扉１の閉じを規制している。その他、第１実施例で説明した規制機構１５（第２規制機構）と異なり、図１１の規制機構１１は金庫扉１４より突出しない構成で、化粧扉１側に押し部２７を設ける構造を採用する。原理は第１実施例と同じであるが、図９に示す規制機構１５自身の長さが短く、押し部２７が規制機構１５の頭部を押して又は押せず（押せないときはリンク機構１２が規制機構１５の裏側に配置されるため）、化粧扉１の開閉を規制する。
【図面の簡単な説明】
【００３１】
【図１】ＡＴＭを後側から見た全体構成図
【図２】図１のＡ部を示す詳細図（金庫扉「閉」、ハンドル「開」、ダイヤル錠「開」）
【図３】図２のＢ−Ｂ断面図
【図４】図２のＥ−Ｅ断面図
【図５】図１のＡ部を示す詳細図（金庫扉「閉」、ハンドル「閉」、ダイヤル錠「開」）
【図６】図５のＣ−Ｃ断面図
【図７】図１のＡ部を示す詳細図（金庫扉「閉」、ハンドル「閉」、ダイヤル錠「閉」）
【図８】図７のＤ−Ｄ断面図
【図９】規制機構１５の詳細図
【図１０】図１のＡ部を示す他の詳細図（金庫扉「閉」、ハンドル「開」、ダイヤル錠「開」）
【図１１】図１０のＢ１−Ｂ１断面図
【図１２】図１のＡ部を示す他の詳細図（金庫扉「閉」、ハンドル「閉」、ダイヤル錠「閉」）
【符号の説明】
【００３２】
１：化粧扉、２：ロックキー、３：シャフト、４：シャフト受け、４ａ：穴、５：ハンドル、６：ダイヤル錠、７：ブロック、８：ヒンジ、９：金庫、１０：閂、１０ａ：施錠溝、１１：バネ、１２：リンク機構、１２ａ：軸、１３：ダイヤルロック、１３ａ：突起、１４：金庫扉、１４ａ：金庫扉ヒンジ、１５：化粧扉開閉規制機構、１５ａ：バネ、１５ｂ：溝、１６：止め輪、１７：ガイド、１７ａ：穴、１８：閂可動棒、１９：閂可動溝、２０：ピン、２１：開閉規制部、２２：閂ガイド、２３：ガイドピン、２４：ストッパ、２５：穴、２６：フランジ、２７：押し部
【図１】
2005267130.tif 000003
【図２】
2005267130.tif 000004
【図３】
2005267130.tif 000005
【図４】
2005267130.tif 000006
【図５】
2005267130.tif 000007
【図６】
2005267130.tif 000008
【図７】
2005267130.tif 000009
【図８】
2005267130.tif 000010
【図９】
2005267130.tif 000011
【図１０】
2005267130.tif 000012
【図１１】
2005267130.tif 000013
【図１２】
2005267130.tif 000014